(57)【要約】【課題】本発明はディスク本編を再生する前に、視聴者に３Ｄディスクであることを報知することができる３Ｄ再生装置を提供する。【解決手段】本実施の形態の、３次元立体映像再生装置は、ディスク再生部２０２にディスク２０１が挿入されると、ディスクのＩＤデータを取得しメモリ２０４に記録する。読み出した前記ＩＤデータが２Ｄディスクを示すものであれば、２Ｄ用のグラフィックスデータと文字データを生成し、出力部２０６から出力させる。読み出した前記ＩＤデータが３Ｄディスクを示すものであれば、３Ｄ用のグラフィックスデータと文字データを生成し、出力部２０６から３Ｄフォーマットとして出力させる。これにより、本編再生より前に視聴者にディスク２０１が２Ｄか３Ｄかを知らせることができ、また３Ｄ用メガネをかけてくださいといったお知らせをディスク２０１の本編再生より前に表示させることができる。【選択図】図２
2013042196.tif 000002
【特許請求の範囲】
【請求項１】
ディスクに記録されているコンテンツを読み出し可能であり、且つ、
記録されているコンテンツが２Ｄコンテンツであるか３Ｄコンテンツであるかを示すＩＤ情報がディスクに記憶されている場合には、そのＩＤ情報を読み出し可能な読出部と、
前記読出部が読み出したコンテンツをデコードして、少なくとも映像信号を出力するデコーダと、
前記読出部で読み出したＩＤ情報を記録するメモリと、
前記メモリに記録されたＩＤ情報に基づき、前記ディスクに記録されているコンテンツが２Ｄコンテンツであるか３Ｄコンテンツであるかを報知する為の報知情報を生成する報知情報生成部と、
前記報知情報または前記デコーダでデコードされた映像信号を自装置の外部に出力する出力部と、
を備え、
前記出力部は、
前記デコーダでデコードされた映像信号を自装置の外部に出力する前に、前記報知情報を自装置の外部に出力する、再生装置。
【請求項２】
ユーザーによる前記ディスクに記録されているコンテンツの再生指示を受け付ける受付部を備え、
前記受付部がユーザーによる前記ディスクに記録されているコンテンツの再生指示を受けつけた場合には、前記出力部は前記報知情報を出力する一方、前記読出部は前記ディスクに記録されているコンテンツの読み出しを開始し、
前記読出部が読み出したコンテンツが前記デコーダによりデコードされた後に、
前記出力部は、出力を前記報知情報から前記デコーダによりデコードされた映像信号に切り替える、請求項１に記載の再生装置。
【請求項３】
前記読出部は、
前記受付部がユーザーによる前記ディスクに記録されているコンテンツの再生指示を受けつけたときに、前記ディスクに記録されている情報ＩＤを読み出し前記メモリに記録する、請求項２に記載の再生装置。
【請求項４】
前記読出部は、
前記ディスクが自装置に挿入されたときに前記情報ＩＤを読み出し、前記メモリに記録する請求項１に記載の再生装置。
【請求項５】
前記出力部は、
前記ディスクが自装置に挿入されたときに、前記報知情報を出力する一方、
前記読出部は、前記ディスクに記録されているコンテンツの読み出しを開始し、
前記読出部が読み出したコンテンツが前記デコーダによりデコードされた後に、
前記出力部は、出力を前記報知情報から前記デコーダによりデコードされた映像信号に切り替える、請求項１に記載の再生装置。
【請求項６】
前記報知情報は、再生するコンテンツが３Ｄコンテンツである旨を示すメッセージであることを特徴とする、請求項１に記載の再生装置。
【請求項７】
前記報知情報は、３Ｄ映像であることを特徴とする、請求項１に記載の再生装置。
【発明の詳細な説明】
【技術分野】
【０００１】
本発明は３次元立体（３Ｄ）映像を再生する装置に関する。
【背景技術】
【０００２】
従来、３次元立体映像を再生する装置としては、人間の左右の目にそれぞれ別々の左右の目用の映像を見せるために、いくつかの方式が立案、実現され、知られている。たとえば人間の左目用、右目用の別々の映像をディスクから読み出し、それぞれ左目用、右目用の映像を交互にディスプレイに出画する。ディスプレイは交互に表示する映像信号と同期して、液晶シャッターつきメガネの左目右目用シャッターを交互に切り替える。上記の構成により、液晶シャッターつきメガネをかけた視聴者の左目には左目用の映像を、右目には右目用の映像のみが届くことになり、視聴者は３次元立体映像を見ることができる。
【先行技術文献】
【特許文献】
【０００３】
【特許文献１】特開２００２−８２３０７号公報
【発明の概要】
【発明が解決しようとする課題】
【０００４】
しかしながら、３次元立体映像再生装置において、従来の２次元（２Ｄ）映像が記録されたディスクと、３次元立体映像が記録されたディスクのいずれも再生可能な装置を実現しようとすると、ディスク再生を行って映像信号をデコードして初めて映像が３Ｄで表示される。このため、視聴者がメガネをかける準備をしたり、３Ｄ映像の調整をしたりするためには、ディスクからデータを読み出して、デコードし、映像を表示するまで待たされるという課題があった。
【０００５】
そこで、本発明の目的は、上記の問題を解決すべく、ディスクを挿入するだけで、本編映像を再生する前に視聴者に３Ｄ用のメガネ装着を促し、確認や調整をすることができる３次元立体映像再生装置を提供することを目的とする。
【課題を解決するための手段】
【０００６】
上記目的を達成するために、３次元立体映像再生装置は、ディスク２０１に記録されているコンテンツを読み出し可能であり、且つ、記録されているコンテンツが２Ｄコンテンツであるか３Ｄコンテンツであるかを示すＩＤ情報がディスク２０１に記憶されている場合には、そのＩＤ情報を読み出し可能なディスク再生部２０２と、ディスク再生部２０２が読み出したコンテンツをデコードして、少なくとも映像信号を出力するビデオデコーダ３０２と、ディスク再生部２０２で読み出したＩＤ情報を記録するメモリ２０４と、メモリ２０４に記録されたＩＤ情報に基づき、ディスク２０１に記録されているコンテンツが２Ｄコンテンツであるか３Ｄコンテンツであるかを報知する為の報知情報を生成するＣＰＵ３０５と、報知情報またはビデオデコーダ３０２でデコードされた映像信号を再生装置１０１の外部に出力する出力部２０６と、を備え、出力部２０６は、ビデオデコーダ３０２でデコードされた映像信号を再生装置１０１の外部に出力する前に、報知情報を再生装置１０１の外部に出力する。
【０００７】
これにより、ビデオデコーダ３０２でデコードされた映像信号を再生装置１０１の外部に出力する前に視聴者にディスク２０１が２Ｄか３Ｄかを知らせることができ、また３Ｄ用メガネ１０３をかけてくださいといったお知らせをディスク２０１の本編再生より前に表示させることができる。また、グラフィックスデータや文字データを３Ｄ映像として表示し、３Ｄ用メガネ１０３の準備や調整をディスク２０１の本編再生より前に行うことができる。
【発明の効果】
【０００８】
上記の構成の３次元立体映像再生装置によれば、本編再生より早く、視聴者により早く３Ｄディスクであることを知らせることができ、３Ｄ用メガネの準備や調整が可能となり、よりスムーズに３Ｄ視聴が可能な映像再生装置を提供できる。
【図面の簡単な説明】
【０００９】
【図１】実施の形態１にかかる３次元立体映像再生表示システム構成図
【図２】実施の形態１にかかる３次元立体映像再生装置の構成図
【図３】実施の形態１にかかる信号処理部２０３の構成図
【図４】実施の形態１にかかるディスク挿入時のＩＤの読み出し処理のフローチャート
【図５】実施の形態１にかかる再生開始時処理のフローチャート
【図６】実施の形態１にかかる２Ｄおよび３Ｄディスク挿入時の機器画像図
【発明を実施するための形態】
【００１０】
（実施の形態１）
[１． ３次元立体映像再生表示システム構成]
図１に３次元立体映像再生表示システムを示す。再生装置１０１は３次元立体映像をディスクから再生し、表示装置１０２に出力する。表示装置１０２は３次元立体映像を表示し、左目用の映像と右目用の映像を交互に表示する。表示装置１０２は、例えば赤外線などの無線で映像同期信号を３Ｄ用メガネ１０３に送り、３Ｄ用メガネ１０３は例えば液晶シャッターを左目用と右目用のレンズ部に持ち、これら液晶シャッターを左右交互に閉じたり開いたりする。表示装置１０２が左目映像を表示した時には視聴者の左目側の液晶シャッターが開き、表示装置１０２が右目映像を表示した時には視聴者の右目側の液晶シャッターが開くように映像同期信号を用いて動作する。視聴者は左右の目で別々の映像を見ることができ、それぞれに視差がついているため、これを３Ｄ映像として認識することができ、３次元立体映像として視聴することができる。
【００１１】
[２． ３次元立体映像再生装置]
図２に再生装置１０１を示す。再生装置１０１は、ディスク再生部２０２、信号処理部２０３、メモリ２０４、リモコン受信部２０５および出力部２０６により構成される。リモコン受信部２０５は、視聴者からの再生開始、停止といった指示を受け付ける。ディスク再生部２０２は、２Ｄや３Ｄ映像、音声、グラフィックデータ等が記録されたディスク２０１を再生する。信号処理部２０３は、ディスク再生部２０２で再生した映像、音声、グラフィックスといったデータをデコードし、メモリ２０４に一時的に蓄積させる。メモリ２０４に蓄積された映像、音声、グラフィックス等のデータは、その映像、音声、グラフィックス等のデータが２Ｄのデータである場合には、２Ｄのフォーマットで出力部２０６から出力される。一方、その映像、音声、グラフィックス等のデータが３Ｄのデータである場合には、３Ｄのフォーマットで出力部２０６から出力される。
【００１２】
[３．信号処理部の構成]
図３に信号処理部２０３の構成を示す。ＣＰＵ３０５はリモコン受信部２０５で受信した視聴者の再生開始指示を受けてディスク２０１を再生する。ストリーム分離部３０１はストリーム分離部であり、ＣＰＵ３０５の指示によりディスク２０１から読み出したコンテンツ、すなわち、映像、音声、グラフィックス（文字やメニュー画像など）、ＩＤデータを含む付加データ等を分離する。オーディオデコーダ３０２はディスク２０１から読み出したオーディオデータをデコードし、メモリ２０４に転送する。ビデオデコーダ３０２はディスク２０１から読み出した映像データをデコードし、メモリ２０４に転送する。グラフィックスデコーダ３０４はディスク２０１から読み出したグラフィックスデータをデコードし、メモリ２０４に転送する。ＣＰＵ３０５は出力する出力する映像信号のフォーマットが２Ｄか３Ｄかを判断する。ビデオ信号処理部３０６は、ＣＰＵ３０５による判断に従い、２Ｄもしくは３Ｄの映像フォーマットで出力する。また、ＣＰＵ３０５は出力する映像信号にグラフィックスデータを合成するか否かを判断する。ビデオ信号処理部３０６は、ＣＰＵ３０５がグラフィックスデータを合成すると判断した場合は、映像信号にグラフィックスデータを合成した上で、出力する。
[４． ３次元立体映像再生装置の動作]
[４−１． ディスク挿入時の動作]
図４にはディスク挿入時の３次元立体映像再生装置の動作をフローチャートに示す。ディスク再生部２０２にディスク２０１が挿入されると、ＣＰＵ３０５がディスク２０１が挿入されたことを検出する（Ｓ４０１）。ＣＰＵ３０５はディスク再生部２０２に対して、ディスク２０１に記録されたＩＤデータを取得する指示をする。ＣＰＵ３０５の指示を受けたディスク再生部２０２は、ストリーム分離部３０１を通じてＣＰＵ３０５に対しＩＤデータを送信する（Ｓ４０２）。ＣＰＵ３０５はＩＤデータを取得する。この取得したＩＤデータは、挿入されたディスク２０１に２Ｄ映像が記録されているか、３Ｄ映像が記録されているかを示す情報である。したがって、このＩＤデータを参照することにより、挿入されたディスク２０１に２Ｄ映像が記録されているか、３Ｄ映像が記録されているか、コンテンツの種類がわかる。取得したＩＤデータは、ＣＰＵ３０５がメモリ２０４に記録される（Ｓ４０３）。
[４−２． 再生動作]
図５には再生装置１０１の再生開始動作を示す。リモコン受信部２０５にユーザーからの再生指示を受けると（Ｓ５０１）、ＣＰＵ３０５はメモリ２０４に記録しておいた、ディスク２０１のＩＤデータを読み出す（Ｓ５０２）。ＣＰＵ３０５は、読み出したＩＤデータが挿入されたディスク２０１に２Ｄ映像が記録されていることを示すものであるか、３Ｄ映像が記録されていることを示すものであるかを判断する（Ｓ５０３）。読み出したＩＤデータが挿入されたディスク２０１に２Ｄ映像が記録されていることを示すものであれば、ＣＰＵ３０５は２Ｄ用のグラフィックスデータと文字データを生成する。ＣＰＵ３０５は、そのグラフィックスデータと文字データを合成して、メモリ２０４に記録する（Ｓ５０４）。ＣＰＵ３０５は、ビデオ信号処理部３０６にその合成したデータをメモリ２０４から読み出すように指示する。ビデオ信号処理部３０６は読み出したデータを出力部２０６を通じて、２Ｄフォーマットで外部に出力する（Ｓ５０５）。
【００１３】
一方、読み出したＩＤデータが挿入されたディスク２０１に３Ｄ映像が記録されていることを示すものであれば、ＣＰＵ３０５は３Ｄ用のグラフィックスデータと文字データを生成する。ＣＰＵ３０５は、そのグラフィックスデータと文字データを合成して、メモリ２０４に記録する（Ｓ５０６）。ＣＰＵ３０５は、ビデオ信号処理部３０６にその合成したデータをメモリ２０４から読み出すように指示する。ビデオ信号処理部３０６は読み出したデータを出力部２０６を通じて、３Ｄフォーマットで外部に出力する（Ｓ５０７）。
【００１４】
これにより、ビデオデコーダ３０２で映像信号がデコードされる前に、事前に視聴者にディスク２０１が２Ｄか３Ｄかを知らせることができ、また３Ｄ用メガネ１０３をかけてくださいといったお知らせをディスク２０１の本編再生より前に表示させることができる。また、グラフィックスデータや文字データを３Ｄ映像として表示し、３Ｄ用メガネ１０３の準備や調整をディスク２０１の本編再生より前に行うことができる。
【００１５】
ＣＰＵ３０５は、ビデオデコーダ３０２もしくはグラフィックスデコーダ３０４において、映像信号もしくはグラフィック信号が出力されたかを判断する（Ｓ５０８）。ビデオデコーダ３０２もしくはグラフィックスデコーダ３０４において、映像信号もしくはグラフィック信号が出力されている場合は、ＣＰＵ３０５は出力部２０６から出力する信号をＩＤデータに基づいて生成されたデータから、ビデオデコーダ３０２もしくはグラフィックスデコーダ３０４から出力されるデータに切り替える（Ｓ５０９）。
[５．機器画像]
図６にＩＤデータが挿入されたディスク２０１に２Ｄ映像が記録されていることを示す画像例と、ＩＤデータが挿入されたディスク２０１に３Ｄ映像が記録されていることを示す画像例を示す。ディスク２０１の本編再生前に、ディスクから読み出したＩＤデータに応じて、ＣＰＵ３０５が機器画像を生成する。ディスク２０１に２Ｄ映像が記録されている場合は、２Ｄのグラフィックスデータを生成する。ディスク２０１に３Ｄ映像が記録されている場合は、３Ｄのグラフィックスデータを生成する。左目用画像と右目用画像を生成し、３Ｄフォーマットで出力させることで、図１の３次元立体映像再生表示システムにおいて、視聴者は本編再生前に３Ｄ画像を３Ｄ用メガネ１０３で見ることができる。さらに、文字データなど一部分は３Ｄフォーマットでもメガネなしで２Ｄ映像として読めるように、左右の画像に視差をつけずに生成表示し、視聴者に３Ｄ用メガネ１０３をかけるよう促すことができる。また、一部分は３Ｄ画像として３Ｄフォーマットで出力すれば、視聴者は３Ｄ用メガネ１０３をかけて、３Ｄ映像視聴の準備をしたり、見え方を確認・調整したりすることができる。
[６．まとめ]
本実施の形態の３次元立体映像再生装置は、ディスク２０１に記録されているコンテンツを読み出し可能であり、且つ、記録されているコンテンツが２Ｄコンテンツであるか３Ｄコンテンツであるかを示すＩＤ情報がディスク２０１に記憶されている場合には、そのＩＤ情報を読み出し可能なディスク再生部２０２と、ディスク再生部２０２が読み出したコンテンツをデコードして、少なくとも映像信号を出力するビデオデコーダ３０２と、ディスク再生部２０２で読み出したＩＤ情報を記録するメモリ２０４と、メモリ２０４に記録されたＩＤ情報に基づき、ディスク２０１に記録されているコンテンツが２Ｄコンテンツであるか３Ｄコンテンツであるかを報知する為の報知情報を生成するＣＰＵ３０５と、報知情報またはビデオデコーダ３０２でデコードされた映像信号を再生装置１０１の外部に出力する出力部２０６と、を備え、出力部２０６は、ビデオデコーダ３０２でデコードされた映像信号を再生装置１０１の外部に出力する前に、報知情報を再生装置１０１の外部に出力する。
【００１６】
これにより、ビデオデコーダ３０２でデコードされた映像信号を再生装置１０１の外部に出力する前に視聴者にディスク２０１が２Ｄか３Ｄかを知らせることができ、また３Ｄ用メガネ１０３をかけてくださいといったお知らせをディスク２０１の本編再生より前に表示させることができる。また、グラフィックスデータや文字データを３Ｄ映像として表示し、３Ｄ用メガネ１０３の準備や調整をディスク２０１の本編再生より前に行うことができる。
【００１７】
このような構成により、２Ｄディスク、３Ｄディスクを両方再生可能な３次元立体映像再生表示システムにおいてスムーズな２Ｄ／３Ｄ視聴の切り替えが可能となる。
【００１８】
また、本実施の形態の３次元立体映像再生装置は、ユーザーによるディスク２０１に記録されているコンテンツの再生指示を受け付けるリモコン受信部２０５を備え、リモコン受信部２０５がユーザーによるディスク２０１に記録されているコンテンツの再生指示を受けつけた場合には、出力部２０６は報知情報を出力する一方、ディスク再生部２０２はディスク２０１に記録されているコンテンツの読み出しを開始し、ディスク再生部２０２が読み出したコンテンツがビデオデコーダ３０２によりデコードされた後に、出力部２０６は、出力を報知情報からビデオデコーダ３０２によりデコードされた映像信号に切り替える。
【００１９】
これにより、ユーザーが再生指示をした後であってコンテンツが再生される前であっても、報知情報が表示されるので、ユーザーは再生されるコンテンツが３Ｄであるか２Ｄであるかを判断することができる。
【００２０】
また、本実施の形態の３次元立体映像再生装置は、ディスク再生部２０２は、ディスク２０１が再生装置１０１に挿入されたときに情報ＩＤを読み出し、メモリ２０４に記録する。
【００２１】
これにより、挿入時点で情報ＩＤを読み出しているので、再生指示を受けた時にディスク２０１から情報ＩＤを読み出す必要が無い。したがって、ユーザーにより早く報知情報を提示することができる。
【００２２】
なお、本実施の形態の報知情報は、再生するコンテンツが３Ｄコンテンツである旨を示すメッセージであってもよいし、３Ｄ映像であっても良い。
（他の実施の形態）
本発明の実施の形態として実施の形態１を例示した。しかし、本発明はこれには限らない。そこで、本発明の他の実施の形態を以下まとめて説明する。なお、本発明は、これらには限定されず、適宜修正された実施の形態に対しても適用可能である。
【００２３】
実施の形態１において、図１には表示装置１０２は左右の目用の映像を交互に切り替え表示し、３Ｄ用メガネ１０３で左右の映像を交互に切り替えて視聴する構成とした。しかし、表示装置１０２で左右の目用の映像を１ラインごとに奇数ラインと偶数ラインでわけて表示し、かつ、左右の映像表示部に異なる偏光フィルムをはり、３Ｄ用メガネ１０３は、液晶シャッター方式でなく、左右の目の前に異なる向きの偏光フィルターをはり、左右の目用の映像を分離できる構成としてもよい。同様に画素ごとに左右の映像を横方向に１画素ずつ交互に表示し、異なる偏光面をもつ偏光フィルムを貼る表示装置１０２構成としてもよい。要するに、３Ｄ映像として左目用、右目用の画像データを、視聴者の左目、右目にそれぞれ届かせる構成であれば３Ｄの方式には関わらない。
【００２４】
なお、再生装置１０１にはディスク再生部２０２からディスク２０１データを再生する構成としたが、３Ｄ映像は、放送局やネットワーク経由のストリーム入力、ブルーレイディスク、ＤＶＤディスク、メモリーカード、ＵＳＢメモリ等の記録媒体からの再生など、他の媒体から再生する場合に適用する構成としてもよい。
【００２５】
なお、ディスク２０１のＩＤデータはディスク挿入時に取得しメモリ２０４に記録する構成としたが、視聴者からの再生開始指示があった時点でＩＤデータをディスク２０１から読んでもよい。
【００２６】
つまり、２０２は、リモコン受信部２０５がユーザーによるディスク２０１に記録されているコンテンツの再生指示を受けつけたときに、ディスク２０１に記録されている情報ＩＤを読み出しメモリ２０４に記録する。
【００２７】
なお、ユーザーからの再生指示があって初めてディスク２０１のコンテンツ再生を開始したが、ディスクを挿入するだけで、機器画像を表示し、自動的にディスク２０１のコンテンツを再生する構成としてもよい。
【００２８】
なお、ユーザーからの再生指示があって初めて機器画像を表示する構成としたが、ディスク２０１を挿入するだけで、２Ｄ／３Ｄ機器画像を表示する構成としてもよい。
【００２９】
つまり、出力部２０６は、ディスク２０１が再生装置１０１に挿入されたときに、報知情報を出力する一方、ディスク再生部２０２は、ディスク２０１に記録されているコンテンツの読み出しを開始し、ディスク再生部２０２が読み出したコンテンツがビデオデコーダ３０２によりデコードされた後に、出力部２０６は、出力を報知情報からビデオデコーダ３０２によりデコードされた映像信号に切り替える。
【００３０】
なお、ディスク２０１の再生開始前に２Ｄ／３Ｄ機器画像を表示する構成としたが、ディスク２０１の再生を停止すると再度２Ｄ／３Ｄ機器画像に戻って表示出力する構成としてもよい。
【００３１】
なお、ディスクを挿入するとＩＤデータに応じて、３Ｄディスクの場合は３Ｄ機器画像を表示する構成としたが、ディスク本編の先頭画像データまたはグラフィックスデータ（メニューなど）を表示、または一時停止画像を表示させ、機器画像をコンテンツ映像に合成して表示させて、３Ｄディスクが入っていることを視聴者に知らせたり、３Ｄ用メガネ１０３の装着を視聴者に促したりする構成としてもよい。
【産業上の利用可能性】
【００３２】
本発明は、３次元立体映像再生装置に関するもので、特に２Ｄ／３Ｄディスクの両方に対応した装置において、コンテンツを記録したディスクを挿入し、本編を再生する前に機器画像を表示して、特に３Ｄ映像を表示することを視聴者に知らせることを可能とする。このため、視聴者に３Ｄ用メガネの装着を促したり、３Ｄ映像を確認、調整することができたりするので、スムーズな２Ｄ／３Ｄ切り替えを実現できる。
【００３３】
このため、本発明は、３Ｄブルーレイディスクプレーヤー、３Ｄブルーレイディスクレコーダー、３Ｄ ＤＶＤプレーヤー、３Ｄ ＤＶＤレコーダー、３Ｄ放送受信装置、３Ｄテレビ、３Ｄ画像表示端末、３Ｄ携帯電話端末、３Ｄカーナビゲーションシステム、３Ｄデジタルスチルカメラ、３Ｄデジタルムービー、３Ｄネットワークプレーヤ、３Ｄ対応コンピューター、３Ｄ対応ゲームプレーヤー等の、３次元立体映像対応機器に適用できる。
【符号の説明】
【００３４】
１０１    再生装置
１０２    表示装置
１０３    ３Ｄ用メガネ
２０１    ディスク
２０２    ディスク再生手段
２０３    信号処理手段
２０４    メモリ
２０５    リモコン受信部
２０６    出力部
３０１    ストリーム分離部
３０２    オーディオデコーダ
３０３    ビデオデコーダ
３０４    グラフィックスデコーダ
３０５    ＣＰＵ
３０６    ビデオ信号処理部
【図１】
2013042196.tif 000003
【図２】
2013042196.tif 000004
【図３】
2013042196.tif 000005
【図４】
2013042196.tif 000006
【図５】
2013042196.tif 000007
【図６】
2013042196.tif 000008